(57)【要約】【課題】病院端末からセキュリティを確保してインターネットへ接続できる医療情報提供システム、サーバ、医療情報提供方法、およびプログラムを提供する。【解決手段】医療情報提供システム１は、病院クライアント端末１００と、病院の外部に設置され、病院クライアント端末１００およびインターネット３と通信可能に接続される外部サーバ１２０と、を備え、サーバ１２０は、病院クライアント端末１００からの要求に応じてブラウザを起動するブラウザ制御部１２２と、ブラウザを経由して参照されるインターネット３上のコンテンツのブラウズ画面を、病院クライアント端末１００に仮想的に出力する出力部１２４と、を備え、病院クライアント端末１００は、サーバ１２０から出力されるコンテンツのブラウズ画面を受信する受信部１０２と、受信部１０２が受信したコンテンツのブラウズ画面を表示する表示部１０４と、を備える。【選択図】図１
2015069544.tif 000002
【特許請求の範囲】
【請求項１】
病院クライアント端末と、
病院の外部に設置され、前記病院クライアント端末およびインターネットと通信可能に接続される外部サーバと、を備え、
前記サーバは、
前記病院クライアント端末からの要求に応じてブラウザを起動するブラウザ制御手段と、
前記ブラウザを経由して参照されるインターネット上のコンテンツのブラウズ画面を、前記病院クライアント端末に仮想的に出力する出力手段と、を備え、
前記病院クライアント端末は、
前記サーバから出力される前記コンテンツのブラウズ画面を受信する受信手段と、
前記受信手段が受信した前記コンテンツのブラウズ画面を表示する表示手段と、
を備える医療情報提供システム。
【請求項２】
請求項１に記載の医療情報提供システムにおいて、
前記サーバは、
前記病院クライアント端末のユーザのユーザ識別情報を取得するユーザ情報取得手段と、
前記ブラウザを介した前記コンテンツに対するユーザのアクセス履歴情報を、前記ユーザ識別情報と関連付けて記録する記録手段と、
をさらに備える医療情報提供システム。
【請求項３】
請求項２に記載の医療情報提供システムにおいて、
前記ユーザ情報取得手段は、前記ユーザ識別情報とともに、前記ユーザの職制、診療科、および病院を少なくとも示すユーザ属性情報を取得し、
前記サーバが、
前記ブラウザを経由して、キーワード検索して得られたコンテンツの検索結果リストのデータを取得する検索結果取得手段と、
前記検索結果リストに含まれる各コンテンツにアクセスしたユーザ数を、前記アクセス履歴情報を元に、前記ユーザ属性情報により示されるユーザの職制、診療科、および病院の少なくとも１つの属性種における、少なくとも１つの属性内容別に集計する集計手段と、
前記集計手段により集計された前記ユーザ数の順位に応じて、前記検索結果リストを並び替え、並び替えられた検索結果リストを前記ブラウズ画面に含める画面編集手段と、を備える医療情報提供システム。
【請求項４】
請求項２または３に記載の医療情報提供システムにおいて、
前記ユーザ情報取得手段は、前記ユーザ識別情報とともに、前記ユーザの職制、診療科および病院を少なくとも示すユーザ属性情報を取得し、
前記記録手段は、コンテンツの閲覧時間を前記アクセス履歴情報の一つとして記録し、
前記サーバが、
前記ブラウザを経由して、キーワード検索して得られたコンテンツの検索結果リストのデータを取得する検索結果取得手段と、
前記検索結果リストに含まれる各コンテンツの前記閲覧時間を、前記アクセス履歴情報を元に、前記ユーザ属性情報により示されるユーザの職制、診療科および病院の少なくとも１つの属性種における、少なくとも１つの属性内容別に集計する集計手段と、
前記集計手段により集計された前記閲覧時間の順位に応じて前記検索結果リストを並び替え、並び替えられた検索結果リストを前記ブラウズ画面に含める画面編集手段と、
を備える医療情報提供システム。
【請求項５】
請求項４に記載の医療情報提供システムにおいて、
前記記録手段は、前記コンテンツの印刷操作を前記アクセス履歴情報の一つとして記録し、
前記集計手段は、前記各コンテンツの印刷回数を、前記少なくとも１つの属性種における、前記少なくとも１つの属性内容別に集計し、集計された印刷回数に対応する閲覧時間を算出し、該算出された閲覧時間を、前記アクセス履歴情報から集計される閲覧時間に加算する医療情報提供システム。
【請求項６】
請求項３乃至５いずれかに記載の医療情報提供システムにおいて、
前記ユーザ情報取得手段は、前記ユーザの職制、診療科および病院とともに、ユーザ名を示す前記ユーザ属性情報を取得し、
前記集計手段は、前記検索結果リストに含まれる各コンテンツに対する閲覧時間を、ユーザ毎に集計し、
前記画面編集手段は、前記集計手段により集計された前記各コンテンツに対する閲覧時間の順位に応じて、各ユーザのユーザ属性の並びを決定し、前記ブラウズ画面において、該決定されたユーザ属性の並びを、前記検索結果リストに含まれる各コンテンツに関連付けて配置する医療情報提供システム。
【請求項７】
請求項３乃至６いずれかに記載の医療情報提供システムにおいて、
前記画面編集手段は、
製薬企業または製品に関連するコンテンツと、前記製薬企業または製品のＭＲ（Medical Representative）の担当者情報と、各ＭＲが担当する病院または診療科と、を対応付けて保持されるＭＲ情報テーブルを参照し、前記検索結果リストに含まれる前記製薬企業または製品に関連する各コンテンツについて、前記ユーザの病院または診療科を担当するＭＲの担当者情報を取得し、該取得されたＭＲの担当者情報を、前記検索結果リストに含まれる対応するコンテンツに関連付けて配置する医療情報提供システム。
【請求項８】
請求項１乃至７いずれかに記載の医療情報提供システムのサーバ。
【請求項９】
病院の外部に設置され、病院クライアント端末およびインターネットと通信可能に接続される外部サーバが、
前記病院クライアント端末からの要求に応じてブラウザを起動し、
前記ブラウザを経由して参照されるインターネット上のコンテンツのブラウズ画面を、前記病院クライアント端末に仮想的に出力し、
前記病院クライアント端末が、
前記サーバから出力される前記コンテンツのブラウズ画面を受信し、
受信した前記コンテンツのブラウズ画面を表示する医療情報提供方法。
【請求項１０】
コンピュータに、
病院クライアント端末のユーザのユーザ識別情報とともに、前記ユーザの職制、診療科、および病院を少なくとも示すユーザ属性情報を取得する手順、
ブラウザを介したコンテンツに対するユーザのアクセス履歴情報を、前記ユーザ識別情報と関連付けて記録する手順、
前記ブラウザを経由して、キーワード検索して得られたコンテンツの検索結果リストのデータを取得する手順、
前記検索結果リストに含まれる各コンテンツにアクセスしたユーザ数を、前記アクセス履歴情報を元に、前記ユーザ属性情報により示されるユーザの職制、診療科、および病院の少なくとも１つの属性種における、少なくとも１つの属性内容別に集計する手順、
前記集計する手順により集計された前記ユーザ数の順位に応じて、前記検索結果リストを並び替え、並び替えられた検索結果リストを前記ブラウズ画面に含める手順、を実行させるためのプログラム。
【発明の詳細な説明】
【技術分野】
【０００１】
本発明は、医療情報提供システム、サーバ、医療情報提供方法、およびプログラムに関する。
【背景技術】
【０００２】
医療従事者が迅速かつ的確な診断を行う上で、極めて重要な情報源になりつつあるインターネットにはすでに膨大な症例データや医学情報、医薬品情報が蓄積されており、アクセスの便利さも紙媒体に比べて格段に優れている。もちろん研究活動や学会活動もインターネット利用が必要不可欠な状況にある。
【０００３】
特許文献１および２に記載の医療情報管理装置は、医師が作成したスライド等の医療情報を、他の病院等の医師に提供する際に、医療情報の内容に基づいて、閲覧可能な装置の範囲を変更することで、医師が作成した医療情報の内容を評価しつつ、当該医療情報を他の医師に効果的に提供するものである。
特許文献３に記載のオンライン症例検討方法は、問題となる症例に対する治療方法について、インターネットを用いて医師同士が検討するための方法である。
特許文献４に記載の医療・医薬関連情報の提供方法は、医師が必要としている薬剤情報を、あたかもＭＲ（Medical Representative）がディテーリング活動を展開するかのように通信回線を介して提供する方法である。
【先行技術文献】
【特許文献】
【０００４】
【特許文献１】特開２０１２−２５２５６４号公報
【特許文献２】特開２０１２−２５２５６３号公報
【特許文献３】特開２００１−３０６６９３号公報
【特許文献４】特開２００６−２３６３９３号公報
【発明の概要】
【発明が解決しようとする課題】
【０００５】
上述した文献記載の方法においては、医師等の端末をインターネットに接続して、医療情報の提供および閲覧を行う構成であったため、セキュリティが確保できない可能性があるという問題点があった。
多くの病院ではオーダリングシステムやレセプトシステム、電子カルテシステム等が稼働しており、数多くの個人情報が蓄積されている。したがって、病院内に敷設されたネットワークをインターネットに接続することは、これらのシステムからの情報漏えいなど、セキュリティに関する問題を引き起こす可能性が高かった。そのため、病院のシステムや病院内の端末は、セキュリティ上の問題からインターネットに接続することは許可されなかった。
【０００６】
本発明は上記事情に鑑みてなされたものであり、その目的とするところは、病院端末からのインターネット接続に対するセキュリティを確保できる医療情報提供システム、サーバ、医療情報提供方法、およびプログラムを提供することにある。
【課題を解決するための手段】
【０００７】
本発明の医療情報提供システムは、
病院クライアント端末と、
病院の外部に設置され、前記病院クライアント端末およびインターネットと通信可能に接続される外部サーバと、を備え、
前記サーバは、
前記病院クライアント端末からの要求に応じてブラウザを起動するブラウザ制御手段と、
前記ブラウザを経由して参照されるインターネット上のコンテンツのブラウズ画面を、前記病院クライアント端末に仮想的に出力する出力手段と、を備え、
前記病院クライアント端末は、
前記サーバから出力される前記コンテンツのブラウズ画面を受信する受信手段と、
前記受信手段が受信した前記コンテンツのブラウズ画面を表示する表示手段と、
を備える。
【０００８】
本発明のサーバは、
上記医療情報提供システムのサーバである。
【０００９】
本発明の医療情報提供方法は、
病院の外部に設置され、病院クライアント端末およびインターネットと通信可能に接続される外部サーバが、
前記病院クライアント端末からの要求に応じてブラウザを起動し、
前記ブラウザを経由して参照されるインターネット上のコンテンツのブラウズ画面を、前記病院クライアント端末に仮想的に出力し、
前記病院クライアント端末が、
前記サーバから出力される前記コンテンツのブラウズ画面を受信し、
受信した前記コンテンツのブラウズ画面を表示する。
【００１０】
本発明のコンピュータプログラムは、
コンピュータに、
病院クライアント端末のユーザのユーザ識別情報とともに、前記ユーザの職制、診療科、および病院を少なくとも示すユーザ属性情報を取得する手順、
ブラウザを介したコンテンツに対するユーザのアクセス履歴情報を、前記ユーザ識別情報と関連付けて記録する手順、
前記ブラウザを経由して、キーワード検索して得られたコンテンツの検索結果リストのデータを取得する手順、
前記検索結果リストに含まれる各コンテンツにアクセスしたユーザ数を、前記アクセス履歴情報を元に、前記ユーザ属性情報により示されるユーザの職制、診療科、および病院の少なくとも１つの属性種における、少なくとも１つの属性内容別に集計する手順、
前記集計する手順により集計された前記ユーザ数の順位に応じて、前記検索結果リストを並び替え、並び替えられた検索結果リストを前記ブラウズ画面に含める手順、を実行させるためのプログラムである。
【００１１】
なお、以上の構成要素の任意の組合せ、本発明の表現を方法、装置、システム、記録媒体、コンピュータプログラムなどの間で変換したものもまた、本発明の態様として有効である。
【００１２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１３】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障のない範囲で変更することができる。
【００１４】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１５】
本発明によれば、病院端末からのインターネット接続に対するセキュリティを確保できる医療情報提供システム、サーバ、医療情報提供方法、およびプログラムが提供される。
【図面の簡単な説明】
【００１６】
【図１】本発明の実施の形態に係る医療情報提供システムの論理的な構成を示す機能ブロック図である。
【図２】本発明の実施の形態に係る医療情報提供システムの動作の一例を示すフローチャートである。
【図３】本発明の実施の形態に係る医療情報提供システムの論理的な構成を示す機能ブロック図である。
【図４】本発明の実施の形態に係る病院クライアント端末またはサーバを実現するコンピュータの構成例を示すブロック図である。
【図５】本発明の実施の形態に係る医療ポータルサイトの画面の例を示す図である。
【図６】本発明の実施の形態に係る医療情報提供システムのアクセス履歴情報記憶部の構造の一例を示す図である。
【図７】本発明の実施の形態に係る医療情報提供システムの動作の一例を示すフローチャートである。
【図８】本発明の実施の形態に係る医療情報提供システムの論理的な構成についてその要部を示す機能ブロック図である。
【図９】本発明の実施の形態に係る医療情報提供システムが提供する医療情報のキーワード検索によるコンテンツの検索結果リスト画面の一例を示す図である。
【図１０】本実施形態のサーバのユーザ情報記憶部の構造の一例を示す図である。
【図１１】本実施形態の病院クライアント端末で開いた医療ポータルサイトのトップページの一例を示す図である。
【図１２】本実施形態のサーバの検索結果取得部が取得するコンテンツの検索結果リストの一例を示す図である。
【図１３】本発明の実施の形態に係る医療情報提供システムの動作の一例を示すフローチャートである。
【図１４】本発明の実施の形態に係る医療情報提供システムの動作の一例を示すフローチャートである。
【図１５】本発明の実施の形態に係る医療情報提供システムの論理的な構成についてその要部を示す機能ブロック図である。
【図１６】本発明の実施の形態に係る医療情報提供システムのアクセス履歴情報記憶部の構造の例を示す図である。
【図１７】本発明の実施の形態に係る医療情報提供システムの動作の一例を示すフローチャートである。
【図１８】本発明の実施の形態に係る医療情報提供システムの論理的な構成についてその要部を示す機能ブロック図である。
【図１９】本発明の実施の形態に係る医療情報提供システムが提供する医療情報のキーワード検索によるコンテンツの検索結果リスト画面の一例を示す図である。
【図２０】本発明の実施の形態に係る医療情報提供システムが提供する医療情報のキーワード検索によるコンテンツの検索結果リスト画面の他の例を示す図である。
【図２１】本発明の医療情報提供システムの実施例の構成を示すブロック図である。
【発明を実施するための形態】
【００１７】
以下、本発明の実施の形態について、図面を用いて説明する。尚、すべての図面において、同様な構成要素には同様の符号を付し、適宜説明を省略する。
【００１８】
（第１の実施の形態）
図１は、本発明の実施の形態に係る医療情報提供システム１の論理的な構成を示す機能ブロック図である。
本発明の実施の形態に係る医療情報提供システム１は、病院クライアント端末１００と、病院の外部に設置され、病院クライアント端末１００およびインターネット３と通信可能に接続される外部サーバ１２０と、を備える。
サーバ１２０は、病院クライアント端末１００からの要求に応じてブラウザを起動するブラウザ制御部１２２と、ブラウザを経由して参照されるインターネット３上のコンテンツのブラウズ画面を、病院クライアント端末１００に仮想的に出力する出力部１２４と、を備える。
病院クライアント端末１００は、サーバ１２０から出力されるコンテンツのブラウズ画面を受信する受信部１０２と、受信部１０２が受信したコンテンツのブラウズ画面を表示する表示部１０４と、を備える。
【００１９】
なお、図１に示す医療情報提供システム１の病院クライアント端末１００およびサーバ１２０の各構成要素は、ＣＰＵ（Central Processing Unit）、メモリ、メモリにロードされた本図の構成要素を実現するプログラム、そのプログラムを格納するハードディスクなどの記憶ユニット、ネットワーク接続用インタフェースを備える任意のコンピュータのハードウェアとソフトウェアの任意の組合せによってそれぞれ実現される。そして、その実現方法、装置にはいろいろな変形例があることは、当業者には理解されるところである。図１は、ハードウェア単位の構成ではなく、論理的な機能単位のブロックを示している。
また、以下の各図において、本発明の本質に関わらない部分の構成については省略してあり、図示されていない。
【００２０】
本実施の形態の医療情報提供システム１において、本発明の実施の形態に係るコンピュータプログラムに対応する各種の処理動作をコンピュータがそれぞれ実行することにより、前述のようなサーバ１２０と病院クライアント端末１００の各種ユニットが各種機能として実現される。
【００２１】
本発明の実施の形態に係る第１のコンピュータプログラムは、医療情報提供システム１のサーバ１２０を実現させるためのコンピュータに、病院クライアント端末１００からの要求に応じてブラウザを起動する手順と、ブラウザを経由して参照されるインターネット上のコンテンツのブラウズ画面を、病院クライアント端末１００に仮想的に出力する手順、を実行させるように記述されている。
また、本発明の実施の形態に係る第２のコンピュータプログラムは、医療情報提供システム１の病院クライアント端末１００を実現させるためのコンピュータに、サーバ１２０から出力されるコンテンツのブラウズ画面を受信する手順、受信する手順で受信したコンテンツのブラウズ画面を表示する手順、を実行させるように記述されている。
なお、上記第１および第２のコンピュータプログラムは、プログラムの数を限定するものではなく、一つのプログラムとして構成されてもよいし、２つ以上のプログラムを組み合わせて構成されてもよい。
【００２２】
本発明のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、所定の通信回線を通じてコンピュータにダウンロードされ、メモリにロードされてもよい。また、本発明のコンピュータプログラムは、少なくとも一部を、コンピュータで稼働するアプリケーションプログラムのプラグインとして取り込み、実行されてもよい。
【００２３】
コンテンツとは、インターネット３上でブラウザを介してアクセスできるウェブページ、文書、画像、映像、音楽、およびアプリケーション等の各種メディアファイルを含む。特に、本発明の医療情報提供システム１では、医療に関連する情報を提供するコンテンツを含み、特に、医療または医薬に関連する企業情報、製品情報、ニュース、研究開発情報、学会情報、学術情報、技術情報、および調査情報等の少なくともいずれかの情報を提供するコンテンツを含む。
【００２４】
本実施形態において、サーバ１２０上で起動されるブラウザは、たとえば、Ｆｉｒｅｆｏｘ（登録商標）等の仮想化されたブラウザとすることができる。以下、サーバ１２０で起動される仮想化ブラウザを「仮想ブラウザ」とも呼ぶ。仮想ブラウザの実現手段として、サーバ１２０を仮想化し仮想環境上でブラウザアプリケーションを動作させたり、アプリケーションレベルの仮想化技術を利用して物理サーバ上でブラウザアプリケーションを動作させ端末側に画面情報を転送させたりする構成がある。あるいは、病院クライアント端末１００をサーバ１２０のリモートデスクトップとして、サーバ１２０上で動作するデスクトップ画面を転送し病院クライアント端末１００上で閲覧できる構成としてもよい。仮想ブラウザでは、ブラウザ処理（ウェブサーバへのアクセス、ＨＴＭＬのレンダリング等）は病院クライアント端末１００上で行われるのではなく、サーバ１２０上で行われる。
【００２５】
このように構成された本発明の実施の形態に係る医療情報提供システム１の医療情報提供方法を以下に説明する。図２は、本発明の実施の形態に係る医療情報提供システム１の動作の一例を示すフローチャートである。
【００２６】
本発明の実施の形態に係る医療情報提供方法では、病院の外部に設置され、病院クライアント端末１００およびインターネットと通信可能に接続される外部サーバ１２０が、病院クライアント端末１００からの要求に応じて（ステップＳ１０１、ステップＳ１０３のＹＥＳ）ブラウザを起動し（ステップＳ１０５）、ブラウザを経由して参照されるインターネット３上のコンテンツのブラウズ画面を、病院クライアント端末１００に仮想的に出力する（ステップＳ１０７）。そして、病院クライアント端末１００が、サーバ１２０から出力されるコンテンツのブラウズ画面を受信し（ステップＳ１０９）、受信したコンテンツのブラウズ画面を表示する（ステップＳ１１１）。
【００２７】
以上、説明したように、本発明の実施の形態に係る医療情報提供システム１によれば、サーバ１２０がブラウザを経由してインターネット３上のコンテンツにアクセスして得られたブラウズ画面を病院クライアント端末１００に提供する構成としたので、病院クライアント端末１００は、直接インターネット３に接続することなしに、サーバ１２０上で動作する仮想ブラウザを経由してセキュリティを確保しつつ、インターネット３上のコンテンツを利用できる。
【００２８】
（第２の実施の形態）
図３は、本発明の実施の形態に係る医療情報提供システム１の論理的な構成を示す機能ブロック図である。
本発明の実施の形態に係る医療情報提供システム１は、上記実施の形態とは、ブラウザを介したコンテンツに対する病院クライアント端末２００のユーザのアクセス履歴情報を記録する点で相違する。
本実施形態の医療情報提供システム１は、病院クライアント端末２００と、病院の外部に設置され、病院クライアント端末２００およびインターネット３と通信可能に接続される外部サーバ２２０と、を備える。
病院クライアント端末２００は、図１の上記実施形態の病院クライアント端末１００と同様な構成を有する。サーバ２２０は、図１の上記実施形態のサーバ１２０と同様なブラウザ制御部１２２と、出力部１２４とを備えるとともに、さらに、ユーザ情報取得部２２２と、記録部２２４と、備える。
【００２９】
本発明の実施の形態に係る医療情報提供システム１において、サーバ２２０は、病院クライアント端末２００のユーザのユーザ識別情報を取得するユーザ情報取得部２２２と、ブラウザを介したコンテンツに対するユーザのアクセス履歴情報を、ユーザ識別情報と関連付けて記録する記録部２２４と、をさらに備える。
【００３０】
本実施形態において、病院クライアント端末２００は、たとえば、ＨＩＳ（Hospital Information System）端末である。ＨＩＳ端末は、病院に設置され、たとえば、自動受付システム、電子カルテシステム、入退院管理システム、医事会計システム、および薬局管理システム等のシステムに接続されてもよい。
【００３１】
サーバ２２０は、病院の外部に設置され、病院クライアント端末２００とは、たとえば、専用回線（ＩＰ−ＶＰＮ：Internet Protocol Virtual Private Network）等で接続される。
また、図では、病院クライアント端末およびサーバは、１台ずつ図示されているが、これに限定されない。複数病院の複数の病院クライアント端末に対し、本発明の医療情報提供システム１のサービスを提供することができる。また、サーバは、その機能を複数のサーバに分散させて実行させてもよい。
【００３２】
図４は、本発明の実施の形態に係る病院クライアント端末２００またはサーバ２２０を実現するコンピュータ６０の構成例を示すブロック図である。
病院クライアント端末２００を実現するコンピュータ６０は、たとえば、図４に示すように、ＣＰＵ（Central Processing Unit）６２と、ＲＯＭ（Read Only Memory）６４と、ＲＡＭ（Random Access Memory）６６と、Ｉ／Ｏ（Input/Output）６８と、を備える。
【００３３】
ＣＰＵ６２は、コンピュータ６０の各要素とバス６９を介して接続され、各要素とともにコンピュータ６０全体を制御する。ＲＯＭ６４は、コンピュータ６０を動作させるためのプログラムや各種アプリケーションプログラム、それらのプログラムが動作する際に使用する各種設定データなどを記憶するとともに、各種ユーザデータを記憶する。ＲＡＭ６６は、プログラムが動作するための作業領域など一時的にデータを記憶する領域を有する。
【００３４】
Ｉ／Ｏ６８は、コンピュータ６０へのデータまたは制御信号等の入出力を制御する。本実施形態では、たとえば、Ｉ／Ｏ６８は、図３の病院クライアント端末２００とサーバ２２０との間の通信、およびサーバ２２０とインターネット３との間の通信等を制御する。
【００３５】
なお、前述のＲＯＭ６４およびＲＡＭ６６は、フラッシュメモリやディスクドライブなど、アプリケーションプログラムおよびプログラムが動作するための設定データや一時保存データ、ユーザデータなどを記憶するための機能を有する他のデバイスであってもよい。
【００３６】
病院クライアント端末２００は、たとえば、キーボードやマウス等の入力装置（不図示）、ディスプレイ等の表示装置（表示部１０４）、入力装置と表示装置が一体となったタッチパネル（不図示）、マイクやスピーカ等の音声入出力装置（不図示）、または、プリンタ等の出力装置（不図示）と接続されるサーバコンピュータやパーソナルコンピュータ、またはそれらに相当するコンピュータ６０により実現することができる。
【００３７】
サーバ２２０は、たとえば、キーボードやマウス等の入力装置（不図示）やディスプレイなどの表示装置やプリンタ等の出力装置（不図示）と接続されるサーバコンピュータやパーソナルコンピュータ、あるいは、データセンタ等に設けられるブレードサーバ、またはそれらに相当するコンピュータ６０により実現することができる。
【００３８】
図３に示す病院クライアント端末２００またはサーバ２２０の各構成要素は、図４に示す、ＣＰＵ６２、メモリ（ＲＡＭ６６）、メモリにロードされた本図の構成要素を実現するプログラム（７０）、そのプログラムを格納する記憶ユニット（ＲＯＭ６４）、ネットワーク接続用インタフェース（Ｉ／Ｏ６８）を備える任意のコンピュータ６０のハードウェアとソフトウェアの任意の組合せによって実現される。そして、その実現方法、装置にはいろいろな変形例があることは、当業者には理解されるところである。図３は、ハードウェア単位の構成ではなく、論理的な機能単位のブロックを示している。
【００３９】
本実施形態の医療情報提供システム１において、たとえば、本実施形態の病院クライアント端末２００のユーザは、様々な医療情報の提供を行う医療ポータルサイト２１０のサービス利用契約を、サービス提供者と結んでいるものとする。
病院クライアント端末２００において、医療ポータルサイト２１０を閲覧するために、医療ポータルサイト２１０のＵＲＬ（Uniform Resource Locator）を指定して、たとえば、ＩＥ（Windows（登録商標） Internet Explorer（登録商標））等のブラウザを起動すると、図５（ａ）に示すような、ログイン画面２４０が表示される。
【００４０】
ログイン画面２４０において、ユーザによりユーザＩＤとパスワードが入力欄に入力され、ログインボタン２４２が押下されると、ユーザ認証処理が行われる。ユーザ認証処理機能は、セキュリティが確保される構成であれば、医療ポータルサイト２１０を提供するサーバ（不図示）で行われてもよいし、サーバ２２０で行われてもよく、特に限定されない。なお、ユーザ認証処理の実行タイミングは、医療ポータルサイト２１０の利用時に限定されるものではなく、ＨＩＳ端末の他のシステム（たとえば、電子カルテシステム）の利用時でもよく、他のシステムで認証された情報を引き継いでもよい。他システムで認証された情報の引き継ぎには、ＳＳＯ（Single Sign-On）技術で実装されてもよい。これにより、ＨＩＳ端末の他のシステム（たとえば、電子カルテシステム）からシームレスに医療ポータルサイト２１０のサービスを利用することができる。なお、引き継いだ情報の利用は医療ポータルサイト２１０のサービス利用契約に基づいて行われる。
【００４１】
本実施形態のユーザ情報取得部２２２によるユーザ識別情報の取得方法について、以下に例示する。
（ａ１）図５（ａ）の医療ポータルサイト２１０のログイン画面２４０で入力されたユーザＩＤの情報をユーザ識別情報として取得する。
（ａ２）ＨＩＳ端末の他のシステム（たとえば、電子カルテシステム）を利用する際に入力されるユーザＩＤの情報をユーザ識別情報として取得する。
上記（ａ１）および（ａ２）の少なくともいずれかの方法で取得することができる。また、（ａ１）および（ａ２）ともに、ユーザ識別情報は、単独で病院クライアント端末２００から送信されてもよいし、他の情報（たとえば、ブラウズの起動要求またはユーザの属性情報等）とともに送信されても、または他の情報に含まれていてもよい。
【００４２】
次に、ユーザ識別情報の取得タイミングについて、以下に例示する。
（ｂ１）病院クライアント端末２００が医療ポータルサイト２１０、またはＨＩＳ端末の他のシステム（たとえば、電子カルテシステム）へのログイン時に、病院クライアント端末２００から送信されたユーザ識別情報を取得する。
（ｂ２）病院クライアント端末２００による医療ポータルサイト２１０からの仮想ブラウザの起動要求を、サーバ２２０が受け付けた時、起動要求に含まれる、または起動要求とともに送信されたユーザ識別情報を取得する。
（ｂ３）病院クライアント端末２００にサーバ２２０からブラウズ画面（コンテンツ）を送信する度に、送信先の病院クライアント端末２００のユーザＩＤを、コンテンツ毎にユーザ識別情報として取得し、記録部２２４に受け渡す。
上記（ｂ１）〜（ｂ３）の少なくともいずれかのタイミングで取得することができる。
【００４３】
記録部２２４は、アクセス履歴情報記憶部２３０に、コンテンツに対するユーザのアクセス履歴情報を、ユーザ識別情報と関連付けて記録する。
本実施形態では、アクセス履歴情報記憶部２３０は、サーバ２２０がアクセス可能な外部記憶装置としているが、サーバ２２０内部の記憶装置に含めてもよい。
【００４４】
図６は、本発明の実施の形態に係る医療情報提供システム１のアクセス履歴情報記憶部２３０の構造の一例を示す図である。
図６の例では、アクセス履歴情報記憶部２３０は、ブラウザを介したコンテンツに対するユーザのアクセス履歴情報として、コンテンツのＵＲＬ、およびアクセス日時を、ユーザＩＤと関連付けて記憶している。
【００４５】
なお、ウェブページの構成が階層構造になっていて、コンテンツが下位の階層の場合にＵＲＬが長くなることがある。そのような場合には、必ずしも各コンテンツのＵＲＬのアドレスの全長の細部（末尾）までを記録しなくてもよく、コンテンツが関連する分野や技術、または企業名、製品名等を特定できる範囲で、アドレスの代表となる一部分（たとえば、図６では、”http://xxx.co.jp/”の部分）を記録してもよい。たとえば、ユーザが閲覧したコンテンツが、ある学会のウェブサイトにおける技術文献であれば、技術文献まで特定できなくても、学会名を特定できるアドレスの前半部分のみをアクセス履歴情報に記録してもよい。あるいは、ユーザが、ある製薬企業のウェブページを閲覧した場合には、閲覧したウェブページの企業のトップページのＵＲＬに相当するアドレスの前半部分のみをアクセス履歴情報に記録する形態でもよい。また、この例ではＵＲＬを記録しているが、コンテンツを特定できる情報であれば、コンテンツのタイトル、サイト名等の情報でもよい。
【００４６】
このように構成された本発明の実施の形態に係る医療情報提供システム１の医療情報提供方法を以下に説明する。図７は、本発明の実施の形態に係る医療情報提供システム１の動作の一例を示すフローチャートである。
図７のフローチャートの処理手順は、図２の上記実施形態と同様なステップＳ１０３、Ｓ１０９、およびＳ１１１を含み、さらに、ステップＳ２０１、Ｓ２０５、Ｓ２０７、Ｓ２１３を含む。
【００４７】
まず、上述したように、図５（ａ）の医療ポータルサイト２１０のログイン画面２４０でユーザＩＤとパスワードがユーザにより入力され、ユーザ認証に成功すると、図５（ｂ）に示す医療ポータルサイト２１０のトップページ２５０が表示される。なお、医療ポータルサイト２１０のウェブページは、図示されないウェブサーバに予め準備されているものとする。
そして、図５（ｂ）のトップページ２５０において、「学会情報」や「製薬企業情報」等の外部サイトへのリンクをクリックすると、仮想ブラウザの起動要求が、病院クライアント端末２００からサーバ２２０に送信される（ステップＳ２０１）。このとき、上述した医療ポータルサイト２１０へのログイン情報（たとえば、認証済みのユーザＩＤ）が、病院クライアント端末２００からサーバ２２０に送信される。
【００４８】
そして、サーバ２２０では、病院クライアント端末２００からの要求に応じて（ステップＳ１０３のＹＥＳ）、ブラウザ制御部１２２が仮想ブラウザを起動する（ステップＳ２０５）。このとき、病院クライアント端末２００から送信されたユーザＩＤをユーザ情報取得部２２２が取得する。そして、出力部１２４が仮想ブラウザを経由して参照されるコンテンツのブラウズ画面を、上記ユーザＩＤで識別される病院クライアント端末２００に仮想的に出力することができる（ステップＳ２０７）。
【００４９】
さらに、本実施形態では、記録部２２４が、ブラウズ画面を出力した病院クライアント端末２００のユーザＩＤとコンテンツの情報を対応付けてアクセス履歴情報記憶部２３０に記録する（ステップＳ２１３）。図６に示すように、アクセス履歴情報記憶部２３０には、出力した日時を含めて記録してもよい。
【００５０】
病院クライアント端末２００では、受信部１０２がサーバ２２０から出力されたブラウズ画面を受信し（ステップＳ１０９）、表示部１０４が受信したブラウズ画面を表示する（ステップＳ１１１）。
【００５１】
このようにして、本実施形態の医療情報提供システム１では、サーバ２２０上に起動される仮想ブラウザを利用して、サーバ２２０がインターネット３にアクセスして取得したコンテンツのブラウズ画面を病院クライアント端末２００に仮想的に送信することで、病院クライアント端末２００は、インターネット３上のコンテンツを参照できるとともに、サーバ２２０は、各ユーザによるコンテンツへのアクセス履歴を記録することができる。
【００５２】
アクセス履歴の記録について付言すると、本実施形態の構成はアクセス履歴の収集を最も効率的に行えるという優位点を持っている。なぜなら、本実施形態においてサーバ２２０は各ユーザの仮想ブラウザを実行し各ユーザによるコンテンツへのアクセスはすべてこのサーバが実行しているので、このサーバは一か所で各ユーザのアクセス履歴すべてを記録することができるためそれが故にアクセス記録の収集が容易であるためである。換言すると、本実施形態についてサーバ２２０は、インターネット３上のウェブサーバ（不図示）にとってクライアントとして機能しており、このサーバでアクセス履歴を収集することが本実施例の発明の優位点である。
【００５３】
一方、他の従来の構成においては、アクセス履歴は様々な場所に点在しており、すべてのアクセス履歴を得るためには点在するログを収集するというステップを踏む必要があり、その点で本実施形態よりも効率的ではない。例えば、一般的な構成のブラウザは各ユーザの端末で実行されるためアクセス履歴は各端末内に点在している。また、コンテンツを提供するウェブサイト内のアクセス履歴はそのサイトにアクセスしてきたユーザのもののみであり、それらを収集しないと各ユーザのアクセス履歴のすべてを見ることはできない。
なお、サーバ２２０はあくまで論理的な構成を意味しており、実際の物理サーバでは複数のサーバで構成される場合もあるが、その場合であっても前述の優位性が減ずることはない。
【００５４】
以上説明したように、本発明の実施の形態に係る医療情報提供システム１によれば、サーバ２２０上で起動され、病院クライアント端末２００上で仮想的に表示される仮想ブラウザを経由して外部コンテンツにアクセスすることにより、上記実施形態と同様な効果を奏するとともに、さらに、サーバ２２０上でユーザ毎のコンテンツに対するアクセス履歴情報を記録することができる。このようにして記録されるアクセス履歴情報は、医療情報を提供するサービスに活用することができ、後述する実施形態で詳細に説明するような、サービス内容の充実、拡張、および多様化や、サービス品質の向上を図ることが可能になる。
【００５５】
（第３の実施の形態）
図８は、本発明の実施の形態に係る医療情報提供システム１の論理的な構成についてその要部を示す機能ブロック図である。
本発明の実施の形態に係る医療情報提供システム１は、上記実施の形態とは、病院クライアント端末３００からキーワード検索を行った時、過去にコンテンツにアクセスしたユーザ数を、ユーザの職制、診療科、および病院の少なくとも１つの属性種における、少なくとも１つの属性内容別に集計したユーザ数の順位で、検索結果リストを並び替えてブラウズ画面に含める点で相違する。
【００５６】
病院クライアント端末３００は、上記実施形態の図１の病院クライアント端末１００または図３の病院クライアント端末２００と同様な構成を有する。サーバ３２０は、上記実施形態の図３のサーバ２２０と同様なブラウザ制御部１２２と、出力部１２４と、記録部２２４と、を備えるとともに、さらに、ユーザ情報取得部３２２と、検索結果取得部３２４と、集計部３２６と、画面編集部３２８と、備える。
【００５７】
図９は、本発明の実施の形態に係る医療情報提供システム１が提供する医療情報のキーワード検索によるコンテンツの検索結果リスト画面３４０の一例を示す図である。
この検索結果リスト画面３４０には、検索キーワード入力欄３４２にユーザにより入力された検索キーワードに基づいて検索された結果が異なる視点で統計されて、複数の検索結果リスト３５０、３５２、３５４、３５６として提示されている。
【００５８】
本発明の実施の形態に係る医療情報提供システム１において、ユーザ情報取得部３２２は、ユーザ識別情報とともに、ユーザの職制、診療科、および病院を少なくとも示すユーザ属性情報を取得する。
さらに、サーバ２２０は、ブラウザを経由して、キーワード検索して得られたコンテンツの検索結果リストのデータを取得する検索結果取得部３２４と、検索結果リストに含まれる各コンテンツにアクセスしたユーザ数を、アクセス履歴情報を元に、ユーザ属性情報により示されるユーザの職制、診療科、および病院の少なくとも１つの属性種における、少なくとも１つの属性内容別に集計する集計部３２６と、集計部３２６により集計されたユーザ数の順位に応じて、検索結果リストを並び替え、並び替えられた検索結果リスト（図９の第１検索結果リスト３５０、第２検索結果リスト３５２、および第３検索結果リスト３５４の少なくともいずれか）をブラウズ画面３６２（図９の検索結果リスト画面３４０）に含める画面編集部３２８と、を備える。
【００５９】
ユーザ情報取得部３２２がユーザ識別情報を取得する方法、およびタイミングについては、上記実施形態のユーザ情報取得部２２２と同様である。
ユーザ情報取得部３２２が取得するユーザ属性情報とは、たとえば、ユーザ毎のユーザ識別情報（ユーザＩＤ）と、勤務病院名、担当診療科、および職制の少なくともいずれかである。
【００６０】
本実施形態のユーザ情報取得部３２２によるユーザ属性情報の取得方法について、以下に例示する。
（ｃ１）病院クライアント端末３００にて本発明の医療情報提供システム１のサービスを利用する前に、ユーザ毎にユーザ属性情報をサーバ３２０のユーザ情報記憶部３１０に登録して保持しておき、ユーザ情報記憶部３１０を参照してユーザＩＤに対応するユーザのユーザ属性情報を取得する。
（ｃ２）ＨＩＳ端末上で既に保持しているユーザ属性情報を参照し、ユーザ情報取得部３２２が取得したユーザＩＤを元に、ＨＩＳ端末に問い合わせを行い、ＨＩＳ端末からユーザＩＤに対応するユーザ属性情報を取得する。
（ｃ３）病院クライアント端末３００が、ＨＩＳ端末の他のシステム（たとえば、電子カルテシステム）で既に保持しているユーザ属性情報をユーザＩＤに基づいて当該他のシステムに問い合わせて取得し、ユーザ識別情報とともにサーバ３２０に送信する。病院クライアント端末３００から送信されたユーザ識別情報とユーザ属性情報を取得する。
上記（ｃ１）〜（ｃ３）の少なくともいずれかの方法で取得することができる。
（ｃ２）および（ｃ３）で取得したユーザ属性情報は、サーバ３２０のユーザ情報記憶部３１０にユーザＩＤと対応付けて一時的に記憶することができる。
【００６１】
次に、ユーザ属性情報の取得タイミングについて、以下に例示する。
（ｄ１）病院クライアント端末３００が医療ポータルサイト２１０、またはＨＩＳ端末の他のシステムへのログイン時に、病院クライアント端末３００から送信されたユーザ識別情報とともにユーザ属性情報を取得する。
（ｄ２）病院クライアント端末３００が医療ポータルサイト２１０、またはＨＩＳ端末の他のシステムへのログイン時に、病院クライアント端末３００から送信されたユーザ識別情報を元に、ユーザ情報記憶部３１０を参照してユーザ属性情報を取得する。
（ｄ３）病院クライアント端末３００による医療ポータルサイト２１０からの仮想ブラウザの起動要求を、サーバ３２０が受け付けた時、起動要求に含まれる、または起動要求とともに送信されたユーザ識別情報とともにユーザ属性情報を取得する。
（ｄ４）病院クライアント端末３００による医療ポータルサイト２１０からの仮想ブラウザの起動要求を、サーバ３２０が受け付けた時、起動要求に含まれる、または起動要求とともに送信されたユーザ識別情報を元に、ユーザ情報記憶部３１０を参照してユーザ属性情報を取得する。
（ｄ５）病院クライアント端末３００にサーバ３２０からブラウズ画面３６２を送信する時、送信先の病院クライアント端末３００のユーザＩＤを元に、ユーザ情報記憶部３１０を参照してユーザ属性情報を取得する。
上記（ｄ１）〜（ｄ５）の少なくともいずれかのタイミングで取得することができる。
【００６２】
図１０は、本実施形態のサーバ３２０のユーザ情報記憶部３１０の構造の一例を示す図である。
図１０の例では、ユーザ情報記憶部３１０は、ユーザのユーザＩＤ毎に、ユーザ名、ユーザが勤務する病院名、ユーザが担当している診療科、およびユーザの職制を含む。ユーザ属性情報は、属性種（病院、診療科、職制）毎に、少なくとも１つの属性内容を含む。
たとえば、診療科は、内科、小児科、外科、整形外科、皮膚科、泌尿器科、循環器科、神経科等の属性内容を含む。職制は、たとえば、医師、看護師、薬剤師、放射線技師等の属性内容を含む。
図１０では、一ユーザに対し、一ユーザＩＤ、一病院、一診療科、一職制が対応付けられている例を示しているが、一ユーザが、複数の病院、複数の診療科、複数の職制を兼務している場合も、ユーザに対応付けて保持することができるものとする。一ユーザに対して、１つのユーザＩＤを割り当ててもよいし、兼務している病院や診療科別に複数の異なるユーザＩＤを割り当ててもよい。
【００６３】
図１１は、本実施形態の病院クライアント端末３００で開いた医療ポータルサイト２１０のトップページ３３０の一例を示す図である。
病院クライアント端末３００で、医療ポータルサイト２１０を開き、受信部１０２が、図１１のトップページ３３０のブラウズ画面をサーバ３２０から受信し、表示部１０４が表示している。この状態で、トップページ３３０の検索キーワード入力欄３４２に、ユーザが情報検索を行うために、キーワードを入力し、検索ボタン３４４を押下することで、ブラウズ画面上で入力されたキーワードの情報が、サーバ３２０に送信される。サーバ３２０は、病院クライアント端末３００で入力されたキーワードを受信し、インターネット３のコンテンツを検索し、病院クライアント端末３００に検索結果を提供することができる。
【００６４】
本実施形態では、たとえば、サーバ３２０は、ウェブサーバ３６０（図８参照）を備えている。ウェブサーバ３６０は、サーバ３２０が備えていなくてもよく、サーバ３２０と同じデータセンタ内にある別サーバ（不図示）上やインターネット３上に設けられてもよい。
ウェブサーバ３６０は、医療ポータルサイト２１０で病院クライアント端末３００に提供している、図５（ａ）のログイン画面２４０、図１１のトップページ３３０、図９の検索結果リスト画面３４０等のウェブページのコンテンツを保持している。さらに、ウェブページの検索機能を持っている。ここでウェブページの検索機能とは、Ｇｏｏｇｌｅ（登録商標）やＹａｈｏｏ！（登録商標）などに代表される、インターネット３上のウェブページを検索する機能であり、ウェブクローラー技術、ページインデックシング技術、ページレイティング技術などにより構成される機能の総称である。これは当業者にとって周知技術であるため、ここでは詳細の説明は省く。
医療ポータルサイト２１０は、このウェブサーバ３６０にサーバ３２０が起動する仮想ブラウザを経由してアクセスして、各コンテンツを病院クライアント端末３００の表示部１０４に表示させることができる。
【００６５】
たとえば、仮想ブラウザを経由して、トップページ３３０上で入力されたキーワードがウェブサーバ３６０に送信され、ウェブサーバ３６０では、受信したキーワードに基づいて検索処理を行い、インターネット３上のコンテンツの検索結果を出力する。検索結果取得部３２４は、キーワード検索して得られたコンテンツの検索結果リストのデータを、ウェブサーバ３６０から取得することができる。
【００６６】
図１２は、本実施形態のサーバ３２０の検索結果取得部３２４が取得するコンテンツの検索結果リスト３１２の一例を示す図である。
検索結果リスト３１２には、コンテンツ毎にＵＲＬアドレス等が対応付けられている。この検索結果リスト３１２は、図９の一般の検索結果リスト３５６として検索結果リスト画面３４０に含まれる。
【００６７】
集計部３２６は、図１２に示す検索結果リスト３１２に含まれる各コンテンツにアクセスしたユーザ数を、アクセス履歴情報を元に、ユーザ属性情報により示されるユーザの職制、診療科、および病院の少なくとも１つの属性種における、少なくとも１つの属性内容別に集計する。具体的には、集計部３２６は、図６に示すアクセス履歴情報記憶部２３０に保持されているアクセス履歴情報を参照して、検索結果リスト３１２に含まれる各コンテンツのＵＲＬを元に、そのコンテンツにアクセスしたユーザＩＤを取得する。さらに、集計部３２６は、図１０に示すユーザ情報記憶部３１０に保持されているユーザ属性情報を参照して、そのコンテンツにアクセスしたユーザＩＤを元に、ユーザの職制、診療科、および勤務病院の情報を取得することができる。
【００６８】
したがって、集計部３２６は、医療ポータルサイト２１０にログインしたユーザのユーザＩＤを元に、そのユーザの職制、診療科、および勤務病院の少なくとも一つの属性種における属性内容（たとえば、ユーザＡなら、ユーザＩＤ「aaa123」を元に、勤務病院「ＡＢＣ」、診療科「泌尿器科」、および職制「医師」の少なくとも一つ。ここではたとえば、診療科「泌尿器科」とする）を取得するとともに、さらに、検索結果リスト３１２に含まれる各コンテンツにアクセスしたユーザのユーザＩＤを元に、各ユーザの職制、診療科、および勤務病院の少なくとも一つの属性種における属性内容を取得する（ここではたとえば、診療科「泌尿器科」とする）そして、集計部３２６は、ユーザＡの診療科である泌尿器科と同じ診療科のユーザによる検索結果リスト３１２に含まれるコンテンツへのアクセス数（ユーザ数）をコンテンツ毎に集計する。
【００６９】
画面編集部３２８は、集計部３２６により集計されたユーザ数の順位に応じて、検索結果リスト３１２のコンテンツの順序を並び替え、並び替えられた検索結果リスト（たとえば、図９の第１検索結果リスト３５０および第３検索結果リスト３５４の少なくとも一方）をブラウズ画面３６２（図９の検索結果リスト画面３４０）に含める。
【００７０】
図９の検索結果リスト３５０は、ログインユーザと同一診療科ユーザによるアクセス数の順位に応じて並び替えられた検索結果リストである。または、このリスト３５０はログインユーザと同一診療科かつ同一職制ユーザによるアクセス数の順位に応じて並び替えられた検索結果リストであってもよい。
また、図９の検索結果リスト３５４はログインユーザと同一職制ユーザによるアクセス数の順位に応じて並び替えられた検索結果リストである。
【００７１】
また、本実施形態では、集計部３２６は、医療ポータルサイト２１０にログインしたユーザの診療科に関連する診療科、たとえば、循環器科、婦人科、および内科のユーザによる検索結果リスト３１２に含まれるコンテンツへのアクセス数（ユーザ数）をコンテンツ毎に集計する。そして、画面編集部３２８が、集計部３２６により集計されたユーザ数の順位に応じて、検索結果リスト３１２のコンテンツの順序を並び替え、並び替えられた検索結果リスト（図９の第２検索結果リスト３５２）をブラウズ画面３６２（図９の検索結果リスト画面３４０）に含める。
【００７２】
以下、本実施形態における検索結果リストの並び替え方法について、例示する。
（ｅ１）ユーザと同一診療科（または、同一診療科かつ同一職制）でのアクセス数（ユーザ数）が多いコンテンツの順位を上位にする。
（ｅ２）ユーザと関連診療科（または、関連診療科かつ同一職制）でのアクセス数（ユーザ数）が多いコンテンツの順位を上位にする。
（ｅ３）ユーザと同一職制でアクセス数（ユーザ数）が多いコンテンツの順位を上位にする。
上記（ｅ１）〜（ｅ３）の少なくともいずれかの方法で検索結果リストを並び替えることができる。
【００７３】
このように構成された本発明の実施の形態に係る医療情報提供システム１の医療情報提供方法を以下に説明する。図１３および図１４は、本発明の実施の形態に係る医療情報提供システム１の動作の一例を示すフローチャートである。なお、本実施形態において、上記実施形態で図７を用いて説明した、病院クライアント端末へのブラウズ画面の提供処理（ステップＳ２０７、Ｓ１０９）、およびアクセス履歴情報の記録処理（ステップＳ２１３）は同様であるので詳細な説明は省略する。
【００７４】
まず、本発明の実施の形態に係る医療情報提供システム１において、サーバ３２０のユーザ情報取得部３２２が、ユーザ識別情報とともに、ユーザの職制、診療科、および病院を少なくとも示すユーザ属性情報を取得する（図１３のステップＳ３０１）。
さらに、サーバ３２０の検索結果取得部３２４が、ブラウザを経由して、キーワード検索して得られたコンテンツの検索結果リスト３１２のデータを取得する（図１３のステップＳ３０３）。そして、サーバ３２０の集計部３２６が、検索結果リスト３１２に含まれる各コンテンツにアクセスしたユーザ数を、アクセス履歴情報を元に、ユーザ属性情報により示されるユーザの職制、診療科、および病院の少なくとも１つの属性種における、少なくとも１つの属性内容別（図９の例では、診療科の「泌尿器科」、または職制の「医師」別）に集計する（図１３のステップＳ３０５、Ｓ３０７、図１４のステップＳ３１３、Ｓ３１５）。そして、サーバ３２０の画面編集部３２８が、集計部３２６により集計されたユーザ数の順位に応じて、検索結果リストを並び替え（図１３のステップＳ３０９、図１４のステップＳ３１７）、並び替えられた検索結果リスト（図９の第１検索結果リスト３５０、または第３検索結果リスト３５４）をブラウズ画面３６２（図９の検索結果リスト画面３４０）に含める（図１３のステップＳ３１１、図１４のステップＳ３１９）。
【００７５】
また、本実施形態において、図９の検索結果リスト画面３４０は、ユーザ属性情報により示されるユーザの職制、診療科、および病院の少なくとも１つの属性種における、少なくとも１つの関連する属性内容（図９の例では、ユーザの診療科の泌尿器科に関連する「循環器科」、「婦人科」、および「内科」のいずれか）を有するユーザの各コンテンツにアクセスした人数を集計した結果を示す第２検索結果リスト３５２をさらに含んでもよい。
【００７６】
サーバ３２０の集計部３２６が、ユーザ属性情報により示されるユーザの職制、診療科、および病院の少なくとも１つの属性種における、少なくとも１つの関連する属性内容を取得する（図１４のステップＳ３２１）。そして、サーバ３２０の集計部３２６が、取得した属性内容別（図９の例では、ユーザの診療科の泌尿器科に関連する「循環器科」、「婦人科」、および「内科」のいずれか）に、検索結果リスト３１２に含まれる各コンテンツにアクセスしたユーザ数を、集計する（図１４のステップＳ３２３）。そして、サーバ３２０の画面編集部３２８が、集計部３２６により集計されたユーザ数の順位に応じて、検索結果リストを並び替え（図１４のステップＳ３２５）、並び替えられた検索結果リスト（図９の第２検索結果リスト３５２）をブラウズ画面３６２（図９の検索結果リスト画面３４０）に含める（図１４のステップＳ３２７）。
【００７７】
このようにして生成された検索結果リスト画面３４０が、ブラウズ画面３６２としてサーバ３２０の出力部１２４から病院クライアント端末３００に仮想的に出力される。
なお、本実施形態の集計部３２６、および画面編集部３２８は、上述したウェブサーバ３６０で、その機能を実現してもよい。
【００７８】
また、上記実施形態では、集計部３２６が、医療ポータルサイト２１０を利用し、キーワード検索を行ったユーザのユーザ属性情報により示される職制、診療科、および病院の少なくとも１つの属性種における、少なくとも１つの属性内容別にユーザ数を集計した例を示した。さらに、集計部３２６は、医療ポータルサイト２１０の利用者（キーワード検索者）が、集計対象の属性種、および属性内容の少なくともいずれかを検索時または事前に任意に指定できる構成としてもよい。または、集計部３２６により自動的に取得された、ユーザのユーザ属性情報により示される職制、診療科、および病院の少なくとも１つの属性種における、少なくとも１つの関連する属性内容を、医療ポータルサイト２１０の利用者（キーワード検索者）が、追加または削除して修正でき、検索時に再集計できる構成としてもよい。そして、これらの指定を「いつもの集計方法」としてユーザ登録できる構成とし、次回の検索以降、「いつもの集計方法」で集計した結果を検索結果リストに含むようにしてもよい。
【００７９】
以上説明したように、本発明の実施の形態に係る医療情報提供システム１によれば、ユーザのユーザ属性情報により示される職制、診療科、および病院等の属性種における属性内容別にキーワード検索結果のコンテンツにアクセスしたユーザ数を集計し、属性内容別のユーザ数の順位（人気順）でコンテンツを並び替えて検索結果を提示するので、上記実施形態と同様な効果を奏するとともに、さらに、キーワード検索結果で得られる各コンテンツについて、たとえば、診療科単位でよく参照されているもの（人気のコンテンツ）を知ることができる。
【００８０】
たとえば、あるキーワードを元に検索を行った場合に、診療科毎に専門とする技術分野が異なることで、技術分野毎の異なるコンテンツが検索結果に一緒に含まれてしまう可能性がある。そのため、全ての診療科を対象にした検索結果では、本来ユーザにとっては必要でない情報も多数含まれてしまい、ユーザが本当に必要とする情報が埋もれてしまう可能性もある。本実施形態の医療情報提供システム１によれば、ユーザの担当する診療科や、その診療科と関連のある他の診療科等のユーザがよく閲覧しているコンテンツの中でよく閲覧されているものを知ることができるので、必要な情報を入手しやすくなる。
本実施形態の構成は、上記実施形態のアクセス履歴を効率的に収集できる効果だけでなく、アクセス履歴をユーザ属性情報と組み合わせて利用することでユーザにとって便宜性の高い情報提供を可能にする効果（必要な情報を入手しやすくする）も持っている。
【００８１】
（第４の実施の形態）
図１５は、本発明の実施の形態に係る医療情報提供システム１の論理的な構成についてその要部を示す機能ブロック図である。
本発明の実施の形態に係る医療情報提供システム１は、上記実施形態とは、キーワード検索して得られる検索結果リストに含まれる各コンテンツの閲覧時間で集計して検索結果リストを並べ替えてブラウズ画面に含める点で相違する。
【００８２】
病院クライアント端末４００は、上記実施形態の図１の病院クライアント端末１００、図３の病院クライアント端末２００、または図８の病院クライアント端末３００と同様な構成を有する。サーバ４２０は、上記実施形態の図８のサーバ３２０と同様なブラウザ制御部１２２と、出力部１２４と、ユーザ情報取得部３２２と、検索結果取得部３２４と、ユーザ情報記憶部３１０、ウェブサーバ３６０と、を備えるとともに、さらに、記録部４２４と、集計部４２６と、画面編集部４２８と、アクセス履歴情報記憶部４３０と、備える。
【００８３】
本発明の実施の形態に係る医療情報提供システム１において、ユーザ情報取得部３２２は、ユーザ識別情報とともに、ユーザの職制、診療科および病院を少なくとも示すユーザ属性情報を取得する。記録部４２４は、コンテンツの閲覧時間をアクセス履歴情報の一つとして記録する。
サーバ４２０は、ブラウザを経由して、キーワード検索して得られたコンテンツの検索結果リストのデータを取得する検索結果取得部３２４と、検索結果リストに含まれる各コンテンツの閲覧時間を、アクセス履歴情報を元に、ユーザ属性情報により示されるユーザの職制、診療科および病院の少なくとも１つの属性種における、少なくとも１つの属性内容別に集計する集計部４２６と、集計部４２６により集計された閲覧時間の順位に応じて検索結果リストを並び替え、並び替えられた検索結果リストをブラウズ画面に含める画面編集部４２８と、を備える。
【００８４】
さらに、本発明の実施の形態に係る医療情報提供システム１において、記録部４２４は、コンテンツの印刷操作をアクセス履歴情報の一つとして記録する。
集計部４２６は、各コンテンツの印刷回数を、少なくとも１つの属性種における、少なくとも１つの属性内容別に集計し、集計された印刷回数に対応する閲覧時間を算出し、該算出された閲覧時間を、アクセス履歴情報から集計される閲覧時間に加算する。
【００８５】
図１６は、本発明の実施の形態に係る医療情報提供システム１のアクセス履歴情報記憶部４３０の構造の例を示す図である。
図１６（ａ）に示すように、アクセス履歴情報記憶部４３０ａは、図６の上記実施形態のアクセス履歴情報記憶部２３０に保持されるデータに加え、ユーザの各コンテンツへのアクセスに加え、終了日時を記録し、開始時刻と終了時刻から各コンテンツの閲覧時間を算出して保持している。なお、図１６の例では、閲覧開始日時、終了日時、および閲覧時間をアクセス履歴情報記憶部４３０ａに保持している構成としているが、これに限定されず、終了日時は保持しなくてもよい。あるいは、開始日時と終了日時のみアクセス履歴情報記憶部４３０ａに保持し、必要に応じて閲覧時間を開始時刻と終了時刻から算出する構成としてもよい。
【００８６】
さらに、図１６（ｂ）に示すように、アクセス履歴情報記憶部４３０ｂは、さらに、各コンテンツの印刷操作を保持している。印刷操作の有無を、フラグで記録してもよいし、印刷回数、印刷部数等を記録してもよい。そして、上述したように、集計部４２６により、印刷回数に対応する閲覧時間を算出し、閲覧時間に加算してもよい。図１６（ｂ）では、レコード毎に印刷回数に対応する閲覧時間（たとえば、印刷１回を閲覧時間１０分に換算）を算出して、閲覧時間に加算し、アクセス履歴情報記憶部４３０ｂに保持する構成としているが、これに限定されない。
少なくとも、印刷操作の情報と、加算前の閲覧時間（または開始時刻と終了時刻）をアクセス履歴情報記憶部４３０ｂに保持していればよい。
【００８７】
集計部４２６は、上記実施形態と同様に、図１６に示すアクセス履歴情報記憶部４３０に保持されているアクセス履歴情報を参照して、図１２に示す検索結果リスト３１２に含まれる各コンテンツのＵＲＬを元に、そのコンテンツの閲覧時間を取得することができる。さらに、集計部４２６は、図１０に示すユーザ情報記憶部３１０に保持されているユーザ属性情報を参照して、ユーザＩＤを元に、ユーザの職制、診療科、および勤務病院の情報を取得することができる。
【００８８】
したがって、集計部４２６は、医療ポータルサイト２１０にログインしたユーザのユーザＩＤを元に、そのユーザの職制、診療科、および勤務病院の少なくとも一つの属性種における属性内容（たとえば、ユーザＡなら、ユーザＩＤ「aaa123」を元に、勤務病院「ＡＢＣ」、診療科「泌尿器科」、および職制「医師」の少なくとも一つ。ここではたとえば、診療科「泌尿器科」とする）を取得するとともに、さらに、検索結果リスト３１２に含まれる各コンテンツにアクセスしたユーザのユーザＩＤを元に、各ユーザの職制、診療科、および勤務病院の少なくとも一つの属性種における属性内容を取得する（ここではたとえば、診療科「泌尿器科」とする）。そして、集計部３２６は、ユーザＡの診療科である泌尿器科と同じ診療科のユーザによる検索結果リスト３１２に含まれるコンテンツへの閲覧時間をコンテンツ毎に集計する。
【００８９】
画面編集部４２８は、集計部４２６により集計された閲覧時間の順位に応じて、検索結果リスト３１２のコンテンツの順序を並び替え、並び替えられた検索結果リストをブラウズ画面３６２に含める。
【００９０】
また、本実施形態では、集計部４２６は、医療ポータルサイト２１０にログインしたユーザの診療科に関連する診療科、たとえば、循環器科、婦人科、および内科のユーザによる検索結果リスト３１２に含まれるコンテンツへの閲覧時間をコンテンツ毎に集計する。そして、画面編集部４２８が、集計部４２６により集計された閲覧時間の順位に応じて、検索結果リスト３１２のコンテンツの順序を並び替え、並び替えられた検索結果リストをブラウズ画面３６２に含めることができる。
【００９１】
以下、本実施形態における検索結果リストの並び替え方法について、例示する。
（ｆ１）ユーザと同一診療科（または、同一診療科かつ同一職制）での閲覧時間が多いコンテンツの順位を上位にする。
（ｆ２）ユーザと関連診療科（または、関連診療科かつ同一職制）での閲覧時間が多いコンテンツの順位を上位にする。
（ｆ３）ユーザと同一職制で閲覧時間が多いコンテンツの順位を上位にする。
（ｆ４）ユーザと同一診療科（または、同一診療科かつ同一職制）での直近のアクセス日時が新しいコンテンツの順位を順位にする。
（ｆ５）ユーザと関連診療科（または、関連診療科かつ同一職制）での直近のアクセス日時が新しいコンテンツの順位を上位にする。
（ｆ６）ユーザと同一職制で直近のアクセス日時が新しいコンテンツの順位を上位にする。
上記（ｆ１）〜（ｆ６）の少なくともいずれかの方法で検索結果リストを並び替えることができる。
また、閲覧時間と、直近のアクセス日時のいずれで並び替えるか、選択切り替えできる構成としてもよい。あるいは、閲覧時間と直近のアクセス日時を組み合わせてもよく、後述するように、たとえば、直近のアクセス日時が所定最新期間内の新しいコンテンツについて、所定の換算時間を閲覧時間に加算（たとえば、１週間以内のアクセス日時のものには換算時間１０分を閲覧時間に加算）して、順位が上位になるようにしてもよい。
【００９２】
また、本実施形態における閲覧時間の換算方法について、以下例示する。
（ｇ１）コンテンツのアクセス履歴時刻（開始（ページ開）と終了（ページ閉または移動）の差分）から閲覧時間を算出する。
（ｇ２）コンテンツがブラウズされている状態で、かつ、ブラウザ上で何らかのイベント（たとえば、マウス操作、スクロール操作、選択操作、コピー操作等）が検出されている間の時間を累計し、累計閲覧時間とする。
（ｇ３）直近のアクセス日時が所定最新期間内の新しいコンテンツについて、所定の換算時間を閲覧時間に加算（たとえば、１週間以内のアクセス日時のものには換算時間１０分を閲覧時間に加算）する。
（ｇ４）印刷されたコンテンツについて、所定の換算時間を閲覧時間に加算する。たとえば、印刷回数または印刷部数が多いほど、閲覧時間が長くなるようにする。閲覧時間を長くする理由は、たとえ画面上にコンテンツが表示されている閲覧時間が短い場合であっても、印刷したということは、印刷物として閲覧する可能性が高く、閲覧時間が長いコンテンツと同等な重要度でユーザが注目していると考えることができるためである。
上記（ｇ１）〜（ｇ４）の少なくともいずれかの方法で閲覧時間を換算することができる。
【００９３】
このように構成された本実施形態の医療情報提供システム１の動作について、以下説明する。
図１７は、本発明の実施の形態に係る医療情報提供システム１の動作の一例を示すフローチャートである。本実施形態の処理手順は、図１３および図１４の上記実施形態と、集計対象のユーザ数が、閲覧時間で集計される以外は同様である。上記実施形態の図１４で示した、検索結果リスト画面３４０の第２検索結果リスト３５２および第３検索結果リスト３５４の編集処理手順についての説明は省略する。
本実施形態の処理手順は、図１３のフローチャートと同様なステップＳ３０１〜Ｓ３０５、およびステップＳ３１１を含むとともに、さらに、ステップＳ４０７、Ｓ４０９を含む。
【００９４】
まず、本発明の実施の形態に係る医療情報提供システム１において、サーバ４２０のユーザ情報取得部３２２が、ユーザ識別情報とともに、ユーザの職制、診療科、および病院を少なくとも示すユーザ属性情報を取得する（ステップＳ３０１）。
さらに、サーバ４２０の検索結果取得部３２４が、ブラウザを経由して、キーワード検索して得られたコンテンツの検索結果リスト３１２のデータを取得する（ステップＳ３０３）。そして、サーバ４２０の集計部４２６が、ユーザ属性情報により示されるユーザの診療科（泌尿器科）を取得する（ステップＳ３０５）。
【００９５】
そして、サーバ４２０の集計部４２６が、検索結果リスト３１２に含まれる各コンテンツの閲覧時間を、アクセス履歴情報を元に、ユーザ属性情報により示されるユーザの職制、診療科、および病院の少なくとも１つの属性種における、少なくとも１つの属性内容別（図９の例では、診療科の「泌尿器科」、または職制の「医師」別）に集計する（ステップＳ４０７）。そして、サーバ４２０の画面編集部４２８が、集計部４２６により集計された閲覧時間が長い順に、検索結果リストを並び替え（ステップＳ４０９）、並び替えられた検索結果リスト（図９の第１検索結果リスト３５０）をブラウズ画面３６２（図９の検索結果リスト画面３４０）に含める（ステップＳ３１１）。
【００９６】
以上説明したように、本発明の実施の形態に係る医療情報提供システム１によれば、上記実施形態と同様な効果を奏するとともに、さらに、キーワード検索結果で得られる各コンテンツについて、たとえば、診療科単位でよく参照されているもの（人気のコンテンツ）の順位を求める際に、アクセス回数だけでなく、閲覧時間、さらに、印刷回数（部数）等を換算するので、順位の信頼度を上げることができる。
【００９７】
（第５の実施の形態）
図１８は、本発明の実施の形態に係る医療情報提供システム１の論理的な構成についてその要部を示す機能ブロック図である。
本発明の実施の形態に係る医療情報提供システム１は、上記実施形態とは、キーワード検索して得られる検索結果リストに含まれる各コンテンツにアクセスしたユーザの情報をブラウズ画面に含める点で相違する。
【００９８】
病院クライアント端末５００は、上記実施形態の図１の病院クライアント端末１００、図３の病院クライアント端末２００、図８の病院クライアント端末３００、または図１５の病院クライアント端末４００と同様な構成を有する。サーバ５２０は、上記実施形態の図１５のサーバ４２０と同様なブラウザ制御部１２２と、出力部１２４と、検索結果取得部３２４と、記録部４２４と、ユーザ情報記憶部３１０、アクセス履歴情報記憶部４３０と、ウェブサーバ３６０と、を備えるとともに、さらに、ユーザ情報取得部５２２と、集計部５２６と、画面編集部５２８と、備える。
【００９９】
本発明の実施の形態に係る医療情報提供システム１において、ユーザ情報取得部５２２は、ユーザの職制、診療科および病院とともに、ユーザ名を示すユーザ属性情報を取得する。
集計部５２６は、検索結果リストに含まれる各コンテンツに対する閲覧時間を、ユーザ毎に集計する。
画面編集部５２８は、集計部５２６により集計された各コンテンツに対する閲覧時間の順位に応じて、各ユーザのユーザ属性の並びを決定し、ブラウズ画面３６２において、該決定されたユーザ属性の並びを、検索結果リストに含まれる各コンテンツに関連付けて配置する。
【０１００】
図１９は、本発明の実施の形態に係る医療情報提供システム１が提供する医療情報のキーワード検索によるコンテンツの検索結果リスト画面５４０の一例を示す図である。
この検索結果リスト画面５４０には、検索キーワード入力欄３４２にユーザにより入力された検索キーワードに基づいて検索された結果が異なる視点で統計されて、複数の検索結果リスト５５０、５５２、５５４、３５６として提示されている。
【０１０１】
本実施形態において、集計部５２６および画面編集部５２８における各検索結果リストの集計および並び替え処理は、上記実施形態で説明した集計部４２６および画面編集部４２８の処理と同様に、各コンテンツの閲覧時間を基に、各検索結果リストの集計および並び替えを行うものとする。なお、上記実施形態で説明した集計部３２６および画面編集部３２８の処理と同様に、各コンテンツにアクセスしたユーザ数を基に行ってもよいし、ユーザ数と閲覧時間を組み合わせた方法でもよい。
【０１０２】
ユーザ情報取得部５２２がユーザ識別情報を取得する方法、およびタイミングについては、上記実施形態のユーザ情報取得部２２２またはユーザ情報取得部３２２と同様である。
ユーザ情報取得部５２２が取得するユーザ属性情報とは、たとえば、ユーザ毎のユーザ識別情報（ユーザＩＤ）と、勤務病院名、担当診療科、および職制の少なくともいずれかと、さらに、ユーザ名である。
【０１０３】
集計部５２６は、図１２に示す検索結果リスト３１２に含まれる各コンテンツの閲覧時間を、アクセス履歴情報を元に、ユーザ属性情報により示されるユーザの職制、診療科、および病院の少なくとも１つの属性種における、少なくとも１つの属性内容別に集計する。具体的には、集計部５２６は、図１６（ｂ）に示すアクセス履歴情報記憶部４３０ｂに保持されているアクセス履歴情報を参照して、検索結果リスト３１２に含まれる各コンテンツのＵＲＬを元に、そのコンテンツの閲覧時間を取得することができる。さらに、集計部５２６は、図１０に示すユーザ情報記憶部３１０に保持されているユーザ属性情報を参照して、ユーザＩＤを元に、ユーザ名、ユーザの職制、診療科、および勤務病院の情報を取得することができる。
【０１０４】
したがって、集計部５２６は、医療ポータルサイト２１０にログインしたユーザのユーザＩＤを元に、そのユーザの職制、診療科、および勤務病院の少なくとも一つの属性種における属性内容（たとえば、ユーザＡなら、ユーザＩＤ「aaa123」を元に、勤務病院「ＡＢＣ」、診療科「泌尿器科」、および職制「医師」の少なくとも一つ。ここではたとえば、診療科「泌尿器科」とする）を取得するとともに、さらに、検索結果リスト３１２に含まれる各コンテンツにアクセスしたユーザのユーザＩＤを元に、各ユーザのユーザ名、職制、診療科、および勤務病院の少なくとも一つの属性種における属性内容を取得する（ここではたとえば、診療科「泌尿器科」とする）。そして、集計部５２６は、ユーザＡの診療科である泌尿器科と同じ診療科のユーザによる検索結果リスト３１２に含まれるコンテンツへの閲覧時間をコンテンツ毎に集計する。
【０１０５】
さらに、集計部５２６は、検索結果リスト３１２に含まれる各コンテンツに対する閲覧時間を、アクセス履歴情報記憶部４３０ｂを元に、ユーザ毎に集計する。なお、たとえば、同じ製品の情報が複数ページにわたる場合などは、検索結果リスト３１２に含まれるコンテンツは、複数ページの１ページ目のみとしてもよい。この場合、集計は、コンテンツに含まれる同じ製品の情報の各ページの累計閲覧時間をトータルしてもよい。
【０１０６】
画面編集部５２８は、集計部５２６により集計された閲覧時間の順位に応じて、検索結果リスト３１２のコンテンツの順序を並び替え、並び替えられた検索結果リスト（図１９の第１検索結果リスト５５０および第３検索結果リスト５５４の少なくとも一方）をブラウズ画面３６２（図１９の検索結果リスト画面５４０）に含める。さらに、画面編集部５２８は、集計部５２６により集計された各コンテンツに対する閲覧時間の順位に応じて、各ユーザのユーザ属性の並びを決定し、ブラウズ画面３６２において、該決定されたユーザ属性の並びを、検索結果リスト（図１９の第１検索結果リスト５５０および第３検索結果リスト５５４の少なくとも一方）に含まれる各コンテンツに関連付けて配置する。
【０１０７】
たとえば、図１９に示すように、検索結果リスト画面５４０では、第１検索結果リスト５５０として、検索を行ったユーザの診療科である泌尿器科での人気コンテンツが、閲覧時間が長い順にリストアップされる。そして、各コンテンツに対する閲覧時間が多いユーザの順位で、各ユーザのユーザ属性、たとえば、ユーザが勤務する病院単位、またはユーザ名が配置される。この例では、第１検索結果リスト５５０のコンテンツＡに対して、ＡＢＣ病院のユーザが最も多く閲覧していることを示している。また、Ａ医師、Ｂ医師が多く閲覧していることも示している。
なお、ユーザ属性については、所定の閲覧時間以上のユーザ、または病院等についてのみ、情報提示を行い、所定の閲覧時間を満たさないユーザについては、情報の提示を行わないのが好ましい。
【０１０８】
なお、ユーザ名までを公開できるのは、たとえば、同じ診療科、チーム、または病院等の所定のグループ単位内のみとし、他の診療科、チームまたは病院等の他のグループ単位に対しては、ユーザ名は公開せず、グループ名（たとえば、病院名、診療科名、チーム名）までとするのが好ましい。
【０１０９】
また、本実施形態では、集計部５２６は、医療ポータルサイト２１０にログインしたユーザの診療科に関連する診療科、たとえば、循環器科、婦人科、および内科のユーザによる検索結果リスト３１２に含まれるコンテンツの閲覧時間をコンテンツ毎に集計する。そして、画面編集部５２８が、集計部５２６により集計された閲覧時間の順位に応じて、検索結果リスト３１２のコンテンツの順序を並び替え、並び替えられた検索結果リスト（図１９の第２検索結果リスト５５２）をブラウズ画面３６２（図１９の検索結果リスト画面５４０）に含める。さらに、画面編集部５２８は、集計部５２６により集計された各コンテンツに対する閲覧時間の順位に応じて、各ユーザのユーザ属性の並びを決定し、ブラウズ画面３６２において、該決定されたユーザ属性の並びを、検索結果リスト（図１９の第２検索結果リスト５５２）に含まれる各コンテンツに関連付けて配置する。
【０１１０】
本実施形態において、画面編集部５２８は、検索結果リストの各コンテンツに対して配置される閲覧ユーザの連絡先を通知する通知手段をさらにブラウズ画面に含めてもよい。
たとえば、図１９に示すように、連絡先の通知手段として、各ユーザのユーザ属性に、リンク５６０を貼り、ユーザ情報にアクセスできる構成とすることができる。たとえば、同じグループのユーザであれば、内線番号、メールアドレス、インスタントメッセンジャーまたはＰＨＳ（Personal Handyphone System）電話番号等の連絡先がリンクとして表示され、リンクを選択すると発呼またはメッセージ送信により、ユーザと連絡がとれる構成としてもよい。他のグループ（たとえば、他の病院）のユーザであれば、病院名、診療科等の情報と、その外線電話番号、ホームページ等の情報がリンクとして表示され、リンクを選択すると、発呼またはウェブページにアクセスできる構成としてもよい。
【０１１１】
また、セキュリティの観点から、病院クライアント端末から直接、連絡するのが好ましくないＳＮＳ（Social Networking Service）ツール、たとえば、Facebook（登録商標）、Twitter（登録商標）等については、予め病院クライアント端末のユーザの連絡先として、メールアドレス等を登録しておき、そのメールアドレスに、選択したユーザ属性のリンクに対応する連絡先の情報を病院クライアント端末から送信できる構成としてもよい。
【０１１２】
また、図２０に示すように、検索結果リスト５７０に含まれる各コンテンツが、製薬企業または製品のものであれば、画面編集部５２８は、検索結果リスト５７０の各コンテンツに、その製品等を担当するＭＲ（Medical Representative）名５７２を、さらに配置することができる。
【０１１３】
画面編集部５２８は、製薬企業または製品に関連するコンテンツと、その製薬企業または製品のＭＲの担当者情報と、各ＭＲが担当する病院または診療科と、を対応付けて保持されるＭＲ情報テーブルを参照し、検索結果リスト５７０に含まれる製薬企業または製品に関連する各コンテンツについて、ユーザの病院または診療科を担当するＭＲの担当者情報を取得し、該取得されたＭＲの担当者情報を、検索結果リスト５７０に含まれる対応するコンテンツに関連付けて配置する。
【０１１４】
たとえば、サーバ５２０は、製薬企業または製品のコンテンツと、ＭＲ名と、各ＭＲが担当する病院名または診療科と、を対応付けたＭＲ情報テーブル（不図示）を予め保持しておく。そして、画面編集部５２８が、検索結果リスト５７０に含まれる各コンテンツについて、ＭＲ情報テーブルを参照して、検索を行ったユーザが勤務する病院を担当するＭＲ名を取得し、検索結果リスト５７０の対応するコンテンツに担当ＭＲ名５７２を配置する。なお、担当ＭＲ名５７２についても、上記ユーザ属性と同様に、連絡先を通知する手段により、担当ＭＲの連絡先を通知してもよい。連絡先の通知手段として、たとえば、担当ＭＲ名５７２にリンクを貼ることができ、リンクを選択することで、担当ＭＲに連絡したり、企業のウェブページにアクセスしたりすることができる構成としてもよい。
【０１１５】
以上説明したように、本発明の実施の形態に係る医療情報提供システム１によれば、上記実施形態と同様な効果を奏するとともに、さらに、キーワード検索結果で得られる各コンテンツについて、たとえば、診療科単位でよく参照されているもの（人気のコンテンツ）に対して、より多く閲覧しているユーザや、病院等を知ることができる。より多く閲覧しているユーザは、その情報について、よく知っている可能性が高い。したがって、検索結果リストのコンテンツを、より多く閲覧しているユーザに連絡をとり、情報交換を行うことで、有益な情報を得られる可能性が高まる。
【０１１６】
以上、図面を参照して本発明の実施形態について述べたが、これらは本発明の例示であり、上記以外の様々な構成を採用することもできる。
たとえば、上記第５の実施形態において、図１９の検索結果リスト画面５４０に表示されるユーザ属性情報は、電子カルテシステム等の他の医療システムの情報を元に、並び替えすることができる。
【０１１７】
電子カルテには、たとえば、検索キーワードとなりうる、病名、投薬薬品名、処置または治療内容等の診療情報が、記録されている。たとえば、集計部５２６は、検索キーワードとなる、または検索結果のコンテンツの内容に主に含まれる薬品について、電子カルテを参照して、その処方回数を、各コンテンツに対する閲覧ユーザ毎、あるいは、診療科または病院別に集計し、処方回数を指定の換算時間として閲覧時間にさらに加算してもよい。あるいは、集計部５２６は、検索キーワードとなる、または、検索結果のコンテンツの内容に主に含まれる病名、処置または治療内容等について、電子カルテを参照して、カルテ記載回数（診療回数、診療日数、または患者数等）を、各コンテンツに対する閲覧ユーザ毎、あるいは、診療科または病院別に集計し、カルテ記載回数を指定の換算時間として閲覧時間にさらに加算してもよい。
【０１１８】
また、上記実施形態において、印刷回数等を閲覧時間に換算する構成について説明したが、その他に、集計部５２６が、コンテンツ上のコメント欄への投稿履歴、「いいね！」ボタンの操作履歴等の情報を元に、操作回数を閲覧時間に換算して加算する構成としてもよい。コメント欄への投稿や記事への共感を示す操作は、そのユーザがコンテンツに対して一定以上の興味を持っていることを示している可能性があるため、閲覧時間に所定の換算時間を加算する。この構成によれば、各コンテンツへのユーザ操作を、各ユーザのコンテンツへの関心度に反映させることができるので、各コンテンツの閲覧ユーザ属性情報の信頼性を向上できる可能性がある。
【実施例】
【０１１９】
図２１は、本発明の医療情報提供システム１０００の実施例の構成を示すブロック図である。
本実施例の医療情報提供システム１０００は、病院に設置される病院クライアント端末に相当するＨＩＳ端末１１００と、病院の外部のデータセンタ等に設置されるサーバ１２００と、を備える。ＨＩＳ端末１１００とサーバ１２００との間は専用回線やインターネット等のネットワークで接続され、それぞれファイヤーウォール（不図示）を介して、たとえば、ＩＰ−ＶＰＮ（不図示）を用いて接続される。また、サーバ１２００は、インターネット３に通信可能に接続される。サーバ１２００とインターネット３の間にはファイヤーウォール（不図示）が設置され、インターネットに接続することによる脅威からサーバ１２００及びＨＩＳ端末１１００を保護している。これらのファイヤーウォールにより、医療情報提供システム１０００は全体として安全に保護されている。
【０１２０】
また、医療情報提供システム１０００は、ウェブサーバ１３００を備える。ウェブサーバ１３００は、サーバ１２００に接続されてもよいし、接続されなくてもよい。
さらに、病院内のＨＩＳ端末１１００は、病院内に設置される電子カルテシステム１１５０と接続される。電子カルテシステム１１５０は、認証サーバ１１６０に接続される。
【０１２１】
本実施例において、ＨＩＳ端末１１００では、予め電子カルテシステム１１５０に、医療従事者であるユーザがログインしていて、電子カルテシステム１１５０の認証サーバ１１６０による認証処理を済ませているものとする。なお、ここでのユーザ認証処理は、電子カルテシステムにおけるユーザ認証処理であり、本発明の医療情報提供システム１とは関係のない処理である。
【０１２２】
そして、ＨＩＳ端末１１００において、ＩＥ（Windows（登録商標） Internet Explorer（登録商標））などのＯＳ（Operating System）既定（デフォルト）のブラウザ（仮想ブラウザではない）が起動され、ウェブサーバ１３００上の医療ポータルサイト１１１０にユーザがアクセスすると、電子カルテシステム１１５０にユーザがログインした時のユーザＩＤがブラウザ（仮想ブラウザではない）に引き継がれる（ステップＳ１）。医療ポータルサイト１１１０上では、様々な医療情報およびサービスがユーザに提供される。
【０１２３】
そして、医療ポータルサイト１１１０上で、インターネット３上のある情報（外部サイトの情報）を得るために、リンク１１１２をユーザが選択すると、電子カルテシステム１１５０から引き継いだユーザＩＤが、ウェブサーバ１３００に送信される（ステップＳ２）。ウェブサーバ１３００は、ＨＩＳ端末１１００のブラウザから送信されたユーザＩＤを元に、電子カルテシステム１１５０の認証サーバ１１６０にユーザの属性情報ＰＩを問い合わせる（ステップＳ３、Ｓ４）。電子カルテシステム１１５０の認証サーバ１１６０には、ユーザＩＤに、ユーザの職制、診療科、および病院の少なくともいずれかの属性情報ＰＩが予め対応付けられている。ウェブサーバ１３００は、認証サーバ１１６０から属性情報ＰＩを受信し（ステップＳ５、Ｓ６）、ＨＩＳ端末１１００のブラウザに返信する（ステップＳ７）。
【０１２４】
本実施例では、アプリケーションレベルの仮想化を実現する手段として、たとえば、Ｘ  Ｗｉｎｄｏｗ  Ｓｙｓｔｅｍ（Ｘ  Ｃｏｎｓｏｒｔｉｕｍ，  Ｉｎｃ．が主導開発するウィンドウシステム）による実施例を説明している。ＨＩＳ端末１１００上でＸ  Ｗｉｎｄｏｗ  Ｓｙｓｔｅｍで言うＸサーバ１１２０を起動し、サーバ１２００上でＸ  Ｗｉｎｄｏｗ  Ｓｙｓｔｅｍで言うＸクライアント１２２０が動作する。本実施例では、Ｘクライアントとしてウェブブラウザである、たとえば、Ｆｉｒｅｆｏｘ（登録商標）が動作する。なお、本実施例では上記のような実装手段を用いるが、アプリケーションレベルの仮想化を実現する手段はＸ  Ｗｉｎｄｏｗ  Ｓｙｓｔｅｍに限るわけではなく、また仮想ブラウザはＦｉｒｅｆｏｘに限るわけではない。
【０１２５】
そして、ＨＩＳ端末１１００において、ウェブサーバ１３００から返信された属性情報ＰＩと、ユーザＩＤを、Ｘサーバ１１２０に引き渡す（ステップＳ８）。ＨＩＳ端末１１００で動作するＸサーバ１１２０から、サーバ１２００上で動作するＸクライアント１２２０に対し、ユーザＩＤと属性情報ＰＩ、およびリンク１１１２のＵＲＬが送信され、Ｘクライアント１２２０である仮想ブラウザ（当該ユーザのための仮想ブラウザインスタンス）を起動する指示が送信される。そして、Ｘクライアント１２２０上で仮想ブラウザが起動され、インターネット３に接続し、リンク１１１２のＵＲＬにアクセスする。リンク１１１２のＵＲＬに対応するウェブページのブラウズ画面を、Ｘクライアント１２２０からＸサーバ１１２０に送信し、ＨＩＳ端末１１００上の仮想ブラウザに表示させる。
【０１２６】
このように、本実施例では、ＨＩＳ端末１１００のユーザは、電子カルテシステム１１５０へのログインを行った後は、医療ポータルサイト１１１０のサービス利用時には、再度、ログインする必要がない。本実施例では、ＳＳＯ（Single Sign-On）の技術を用いて、これを実現することができる。
【０１２７】
また、本実施例では、ＨＩＳ端末１１００の医療ポータルサイト１１１０と、Ｘサーバ１１２０と、サーバ１２００のＸクライアント１２２０との間にユーザ毎に異なるセッションをそれぞれはって、医療ポータルサイト１１１０が利用する仮想ブラウザでインターネット３上のコンテンツにアクセスできる。
【０１２８】
また、本実施例では、サーバ１２００は、アクセス可能なサイト（コンテンツ）を登録管理するホワイトリストを保持する。サーバ１２００で仮想ブラウザがインターネット３上のコンテンツにアクセスする際に、ホワイトリストを参照し、コンテンツをフィルタリングする。なお、ホワイトリストは、病院クライアント端末の管理者等が設定および更新できる構成とするのが望ましい。
【０１２９】
以上説明したように、本発明の医療情報提供システムによれば、セキュリティを理由にインターネットに接続することが許されなかった病院クライアント端末（ＨＩＳ端末）からデータセンタのサーバにアクセスし、サーバが病院クライアント端末からの要求に応じて仮想ブラウザを起動してインターネットにアクセスすることができるので、あたかも病院クライアント端末からインターネット上のコンテンツを閲覧しているように利用できるサービスをユーザに提供することができる。
【０１３０】
このように、本発明の医療情報提供システムによれば、病院からデータセンタを経由してセキュアなインターネット接続を可能にしたので、病院の医療従事者は医療の現場に必要な情報収集と活用を安全に実現することができる。
【０１３１】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０１３２】
以下、参考形態の例を付記する。
１．  病院の外部に設置され、病院クライアント端末およびインターネットと通信可能に接続される外部サーバが、
前記病院クライアント端末からの要求に応じてブラウザを起動し、
前記ブラウザを経由して参照されるインターネット上のコンテンツのブラウズ画面を、前記病院クライアント端末に仮想的に出力し、
前記病院クライアント端末が、
前記サーバから出力される前記コンテンツのブラウズ画面を受信し、
受信した前記コンテンツのブラウズ画面を表示する医療情報提供方法。
２．  １．に記載の医療情報提供方法において、
前記サーバが、さらに、
前記病院クライアント端末のユーザのユーザ識別情報を取得し、
前記ブラウザを介した前記コンテンツに対するユーザのアクセス履歴情報を、前記ユーザ識別情報と関連付けて記録する医療情報提供方法。
３．  ２．に記載の医療情報提供方法において、
前記サーバが、さらに、
前記ユーザ識別情報とともに、前記ユーザの職制、診療科、および病院を少なくとも示すユーザ属性情報を取得し、
前記ブラウザを経由して、キーワード検索して得られたコンテンツの検索結果リストのデータを取得し、
前記検索結果リストに含まれる各コンテンツにアクセスしたユーザ数を、前記アクセス履歴情報を元に、前記ユーザ属性情報により示されるユーザの職制、診療科、および病院の少なくとも１つの属性種における、少なくとも１つの属性内容別に集計し、
集計された前記ユーザ数の順位に応じて、前記検索結果リストを並び替え、並び替えられた検索結果リストを前記ブラウズ画面に含める医療情報提供方法。
４．  ２．または３．に記載の医療情報提供方法において、
前記サーバが、さらに、
前記ユーザ識別情報とともに、前記ユーザの職制、診療科および病院を少なくとも示すユーザ属性情報を取得し、
コンテンツの閲覧時間を前記アクセス履歴情報の一つとして記録し、
前記ブラウザを経由して、キーワード検索して得られたコンテンツの検索結果リストのデータを取得し、
前記検索結果リストに含まれる各コンテンツの前記閲覧時間を、前記アクセス履歴情報を元に、前記ユーザ属性情報により示されるユーザの職制、診療科および病院の少なくとも１つの属性種における、少なくとも１つの属性内容別に集計し、
集計された前記閲覧時間の順位に応じて前記検索結果リストを並び替え、並び替えられた検索結果リストを前記ブラウズ画面に含める医療情報提供方法。
５．  ４．に記載の医療情報提供方法において、
前記サーバが、さらに、
前記コンテンツの印刷操作を前記アクセス履歴情報の一つとして記録し、
前記各コンテンツの印刷回数を、前記少なくとも１つの属性種における、前記少なくとも１つの属性内容別に集計し、集計された印刷回数に対応する閲覧時間を算出し、該算出された閲覧時間を、前記アクセス履歴情報から集計される閲覧時間に加算する医療情報提供方法。
６．  ３．乃至５．いずれかに記載の医療情報提供方法において、
前記サーバが、さらに、
前記ユーザの職制、診療科および病院とともに、ユーザ名を示す前記ユーザ属性情報を取得し、
前記検索結果リストに含まれる各コンテンツに対する閲覧時間を、ユーザ毎に集計し、
集計された前記各コンテンツに対する閲覧時間の順位に応じて、各ユーザのユーザ属性の並びを決定し、前記ブラウズ画面において、該決定されたユーザ属性の並びを、前記検索結果リストに含まれる各コンテンツに関連付けて配置する医療情報提供方法。
７．  ３．乃至６．いずれかに記載の医療情報提供方法において、
前記サーバが、さらに、
製薬企業または製品に関連するコンテンツと、前記製薬企業または製品のＭＲ（Medical Representative）の担当者情報と、各ＭＲが担当する病院または診療科と、を対応付けて保持されるＭＲ情報テーブルを参照し、前記検索結果リストに含まれる前記製薬企業または製品に関連する各コンテンツについて、前記ユーザの病院または診療科を担当するＭＲの担当者情報を取得し、該取得されたＭＲの担当者情報を、前記検索結果リストに含まれる対応するコンテンツに関連付けて配置する医療情報提供方法。
【０１３３】
８．  コンピュータに、
病院クライアント端末のユーザのユーザ識別情報とともに、前記ユーザの職制、診療科、および病院を少なくとも示すユーザ属性情報を取得する手順、
ブラウザを介したコンテンツに対するユーザのアクセス履歴情報を、前記ユーザ識別情報と関連付けて記録する手順、
前記ブラウザを経由して、キーワード検索して得られたコンテンツの検索結果リストのデータを取得する手順、
前記検索結果リストに含まれる各コンテンツにアクセスしたユーザ数を、前記アクセス履歴情報を元に、前記ユーザ属性情報により示されるユーザの職制、診療科、および病院の少なくとも１つの属性種における、少なくとも１つの属性内容別に集計する手順、
前記集計する手順により集計された前記ユーザ数の順位に応じて、前記検索結果リストを並び替え、並び替えられた検索結果リストを前記ブラウズ画面に含める手順、を実行させるためのプログラム。
９．  ８．に記載のプログラムにおいて、
前記病院クライアント端末のユーザのユーザ識別情報を取得する手順、
前記ブラウザを介した前記コンテンツに対するユーザのアクセス履歴情報を、前記ユーザ識別情報と関連付けて記録する手順、
をコンピュータにさらに実行させるためのプログラム。
１０．  ９．に記載のプログラムにおいて、
前記ユーザ識別情報とともに、前記ユーザの職制、診療科、および病院を少なくとも示すユーザ属性情報を取得する手順、
前記ブラウザを経由して、キーワード検索して得られたコンテンツの検索結果リストのデータを取得する手順、
前記検索結果リストに含まれる各コンテンツにアクセスしたユーザ数を、前記アクセス履歴情報を元に、前記ユーザ属性情報により示されるユーザの職制、診療科、および病院の少なくとも１つの属性種における、少なくとも１つの属性内容別に集計する手順、
前記集計する手順により集計された前記ユーザ数の順位に応じて、前記検索結果リストを並び替え、並び替えられた検索結果リストを前記ブラウズ画面に含める手順、
をコンピュータにさらに実行させるためのプログラム。
１１．  ９．または１０．に記載のプログラムにおいて、
前記ユーザ情報を取得する手順において、前記ユーザ識別情報とともに、前記ユーザの職制、診療科および病院を少なくとも示すユーザ属性情報を取得する手順、
前記記録する手順において、コンテンツの閲覧時間を前記アクセス履歴情報の一つとして記録する手順、
前記ブラウザを経由して、キーワード検索して得られたコンテンツの検索結果リストのデータを取得する手順、
前記検索結果リストに含まれる各コンテンツの前記閲覧時間を、前記アクセス履歴情報を元に、前記ユーザ属性情報により示されるユーザの職制、診療科および病院の少なくとも１つの属性種における、少なくとも１つの属性内容別に集計する手順、
前記集計する手順により集計された前記閲覧時間の順位に応じて前記検索結果リストを並び替え、並び替えられた検索結果リストを前記ブラウズ画面に含める手順、
をコンピュータにさらに実行させるためのプログラム。
１２．  １１．に記載のプログラムにおいて、
前記記録する手順において、前記コンテンツの印刷操作を前記アクセス履歴情報の一つとして記録する手順、
前記集計する手順において、前記各コンテンツの印刷回数を、前記少なくとも１つの属性種における、前記少なくとも１つの属性内容別に集計し、集計された印刷回数に対応する閲覧時間を算出し、該算出された閲覧時間を、前記アクセス履歴情報から集計される閲覧時間に加算する手順、
をコンピュータにさらに実行させるためのプログラム。
１３．  １０．乃至１２．いずれかに記載のプログラムにおいて、
前記ユーザ情報を取得する手順において、前記ユーザの職制、診療科および病院とともに、ユーザ名を示す前記ユーザ属性情報を取得する手順、
前記集計する手順において、前記検索結果リストに含まれる各コンテンツに対する閲覧時間を、ユーザ毎に集計する手順、
前記画面を編集する手順において、前記集計する手順により集計された前記各コンテンツに対する閲覧時間の順位に応じて、各ユーザのユーザ属性の並びを決定し、前記ブラウズ画面において、該決定されたユーザ属性の並びを、前記検索結果リストに含まれる各コンテンツに関連付けて配置する手順、
をコンピュータにさらに実行させるためのプログラム。
１４．  １０．乃至１３．いずれかに記載のプログラムにおいて、
製薬企業または製品に関連するコンテンツと、前記製薬企業または製品のＭＲ（Medical Representative）の担当者情報と、各ＭＲが担当する病院または診療科と、を対応付けて保持されるＭＲ情報テーブルを参照し、前記検索結果リストに含まれる前記製薬企業または製品に関連する各コンテンツについて、前記ユーザの病院または診療科を担当するＭＲの担当者情報を取得し、該取得されたＭＲの担当者情報を、前記検索結果リストに含まれる対応するコンテンツに関連付けて配置する手順、
をコンピュータにさらに実行させるためのプログラム。
【符号の説明】
【０１３４】
１  医療情報提供システム
３  インターネット
６０  コンピュータ
６２  ＣＰＵ
６４  ＲＯＭ
６６  ＲＡＭ
６８  Ｉ／Ｏ
６９  バス
７０  プログラム
１００  病院クライアント端末
１０２  受信部
１０４  表示部
１２０  サーバ
１２２  ブラウザ制御部
１２４  出力部
２００  病院クライアント端末
２１０  医療ポータルサイト
２２０  サーバ
２２２  ユーザ情報取得部
２２４  記録部
２３０  アクセス履歴情報記憶部
２４０  ログイン画面
２４２  ログインボタン
２５０  トップページ
３００  病院クライアント端末
３１０  ユーザ情報記憶部
３１２  検索結果リスト
３２０  サーバ
３２２  ユーザ情報取得部
３２４  検索結果取得部
３２６  集計部
３２８  画面編集部
３３０  トップページ
３４０  検索結果リスト画面
３４２  検索キーワード入力欄
３４４  検索ボタン
３５０  第１検索結果リスト
３５２  第２検索結果リスト
３５４  第３検索結果リスト
３５６  一般の検索結果リスト
３６０  ウェブサーバ
３６２  ブラウズ画面
４００  病院クライアント端末
４２０  サーバ
４２４  記録部
４２６  集計部
４２８  画面編集部
４３０、４３０ａ、４３０ｂ  アクセス履歴情報記憶部
５００  病院クライアント端末
５２０  サーバ
５２２  ユーザ情報取得部
５２６  集計部
５２８  画面編集部
５４０  検索結果リスト画面
５５０  第１検索結果リスト
５５２  第２検索結果リスト
５５４  第３検索結果リスト
５７０  検索結果リスト
１０００  医療情報提供システム
１１００  ＨＩＳ端末
１１１０  医療ポータルサイト
１１１２  リンク
１１２０  サーバ
１１５０  電子カルテシステム
１１６０  認証サーバ
１２００  サーバ
１２２０  クライアント
１３００  ウェブサーバ
【図１】
2015069544.tif 000003
【図２】
2015069544.tif 000004
【図３】
2015069544.tif 000005
【図４】
2015069544.tif 000006
【図５】
2015069544.tif 000007
【図６】
2015069544.tif 000008
【図７】
2015069544.tif 000009
【図８】
2015069544.tif 000010
【図９】
2015069544.tif 000011
【図１０】
2015069544.tif 000012
【図１１】
2015069544.tif 000013
【図１２】
2015069544.tif 000014
【図１３】
2015069544.tif 000015
【図１４】
2015069544.tif 000016
【図１５】
2015069544.tif 000017
【図１６】
2015069544.tif 000018
【図１７】
2015069544.tif 000019
【図１８】
2015069544.tif 000020
【図１９】
2015069544.tif 000021
【図２０】
2015069544.tif 000022
【図２１】
2015069544.tif 000023